(57)【特許請求の範囲】
【請求項１】
特にスリップ制御される液圧式の車両ブレーキ装置のための電磁弁（１０）であって、該電磁弁が弁ブロック（１１）に配置されており、更に、該電磁弁（１０）が可動子（２３）のためのガイドスリーブ（２１）を有しており、該ガイドスリーブ（２１）が環状段部（２７）を以て拡張されており、該環状段部が、ガイドスリーブ（２１）の円筒状の周壁（２８）から少なくともほぼ半径方向で出発する端壁（２９）を有しており、前記ガイドスリーブ（２１）に固定ブシュ（４３）が被せ嵌められており、該固定ブシュが、ガイドスリーブ（２１）の周壁（２８）、環状段部（２７）の端壁（２９）並びに前記周壁（２８）と端壁（２９）との間の面取りされたネック（３０）に適合して密着しており、前記ガイドスリーブ（２１）と固定ブシュ（４３）とが弁ブロック（１１）の孔（１４）に収容されており、固定ブシュ（４３）が孔（１４）の段部（５１）に挿入されており、前記固定ブシュ（４３）が、弁ブロック（１１）の材料から成る液密なかしめ締結部（５３）を以て弁ブロック（１１）に結合されている形式のものにおいて、
イ）固定ブシュ（４３）が、プレス嵌めを以てガイドスリーブ（２１）の周壁（２８）に沿って案内されており、
ロ）更に前記固定ブシュ（４３）が、前記ガイドスリーブ（２１）のネック（３０）に対応配置された環状の縁部（４４）を有しており、該縁部が、前記ネック（３０）の面取り半径（Ｒ）よりも小さな面取り半径（ｒ）で製作されており、ハ）前記固定ブシュ（４３）が前記ガイドスリーブ（２１）組み込まれた状態で、前記縁部（４４）の面取り半径（ｒ）が、前記ネック（３０）における当該縁部（４４）の塑性変形に基づいて前記ネックの面取り半径（Ｒ）に少なくともほぼ合わされるようになっており、
ニ）ガイドスリーブ（２１）の環状段部（２７）に続く中空円筒区分（３１）内にポット形の弁スリーブ（３３）が固定されており、
ホ）該弁スリーブ（３３）が、底部側に組み込まれた弁座（３７）を備えた深絞りされた構成部材として形成されていることを特徴とする、特にスリップ制御される液圧式の車両ブレーキ装置のための電磁弁。
【請求項２】
ポット形の弁スリーブ（３３）が、ガイドスリーブ（２１）の中空円筒区分（３１）にプレス嵌めされており且つ縁曲げ結合部（４０）によって前記ガイドスリーブ（２１）に固定されている、請求項１記載の電磁弁。
【請求項３】
弁スリーブ（３３）が、ガイドスリーブ（２１）の肉厚に比べて大きな肉厚で形成されている、請求項２記載の電磁弁。
【請求項４】
弁スリーブ（３３）が周面側と底部側とに流体を案内する貫通孔（３９，３６）を有しており、これらの貫通孔の内、底部側の貫通孔（３６）が、可動子（２３）によって切り替えられるシート弁（３８）のプレス加工によって製作された弁座（３７）に開口している、請求項３記載の電磁弁。
【請求項５】
弁スリーブ（３３）の、両貫通孔（３６，３９）間に位置する周面区分（３５）がプレス嵌めを以て、弁ブロック（１１）の孔（１４）の孔段部（４６）に続く区分（４７）に収容されている、請求項２又は４記載の電磁弁。
【請求項６】
固定ブシュ（４３）と孔段部（４６）との間に延在し且つ弁スリーブ（３３）の周面側の貫通孔（３９）を覆って係合するフィルタスリーブ（４１）が、ガイドスリーブ（２１）の区分（３１）に被せ嵌められている、請求項５記載の電磁弁。
【発明の詳細な説明】
【０００１】
背景技術
本発明は、請求項１の上位概念に記載の形式の電磁弁から出発する。
【０００２】
このような形式の既に公知の電磁弁（ドイツ連邦共和国特許出願公開第１９８０７１３０号明細書）では、電磁弁の液圧式の部分が弁ブロックの孔に収容されている。弁ブロックから突出した液圧式の部分には、電磁弁の電気的な部分が被せ嵌められている。
【０００３】
電磁弁の液圧式の部分は可動子ガイドスリーブを有しており、この可動子ガイドスリーブは、シート弁の弁座を備えた複数部分から成る弁体を液密に収容するために、弁ブロック側で環状段部を以て拡張されている。可動子ガイドスリーブには固定ブシュが被せ嵌められている。この固定ブシュは、環状段部の上位の可動子ガイドスリーブ、前記環状段部自体並びに該環状段部に続く、拡張されたスリーブ区分の周面に適合して係合し、しかも、拡張されたスリーブ区分には液密なプレス嵌めを以て係合する。更に、前記固定ブシュは可動子ガイドスリーブの開口域でこの可動子ガイドスリーブとかしめ締結されており、このことは組込み手間の増大を意味する。可動子、戻しばね、磁心及びフィルタディスクによって完成される液圧式の部分は、固定ブシュによって弁ブロックの孔の段部に支持されている。弁ブロックにおける固定ブシュの外周面側のかしめ締結は、流体案内孔における液圧式の部分の固定及びシールに役立つ。
【０００４】
更に、ドイツ連邦共和国特許出願公開第１９７１０３５３号明細書に基づき、電磁弁の液圧式の部分にポット形の弁スリーブを装備することが公知である。この弁スリーブは底部側に非切削式で製作されたシート弁の弁座を有している。前記弁スリーブは、弁ブロックの孔区分に周面側でプレス嵌めを以て液密に係合し且つ貫通孔がシート弁によって切り替えられる流体案内通路を分離する。これにより、付加的なシール部材は不要である。
【０００５】
発明の利点
請求項１の特徴部に記載の構成を有する本発明による電磁弁は、冒頭で述べた開発状況と比べて、ガイドスリーブと固定ブシュとの間の液密な結合部が、プレス嵌めを生ぜしめるためにブシュをスリーブに被せ嵌めると同時に、固定ブシュの縁部がガイドスリーブのネックにぶつかった時に変形されることによって形成されるという利点を有している。この変形は、当該ゾーンにおけるガイドスリーブと固定ブシュとの密着を生ぜしめる。この圧力変形では、ネックが工具で縁部が塑性変形される工作物である。この構成により、唯一の組込み過程で廉価にブシュがガイドスリーブに固定され且つこれらの両構成部材間のシールも得られる。
【０００６】
請求項２以下に記載の手段により、請求項１記載の電磁弁の有利な改良が得られる。
【０００７】
実施例の説明
以下に、本発明の実施例を図面につき詳しく説明する。
【０００８】
図１に示した電磁弁１０は弁ブロック１１に配置されており且つその他の点は図示されていない、スリップ制御される液圧式の車両ブレーキ装置のための圧力制御装置の一部を形成している。
【０００９】
無電流状態で閉じられる電磁弁１０は２つの構成群、即ち、部分的に弁ブロック１１の段付けされた孔１４に収容された液圧式の部分１３と、弁ブロックから突出した前記の液圧式の部分に被せ嵌められた電気的な部分１５とから成っている。電気的な部分１５は、主として電気的な巻線１７を備えたコイルボディ１６と、磁束を案内するコイルカバー１８と、磁束を案内するリングディスク１９とから成っている。
【００１０】
電磁弁１０の液圧式の部分１３はガイドスリーブ２１を有しており、このガイドスリーブ２１の電気的な部分１５に対応配置された端部は、プレス嵌めされて液密に溶接された磁心２２によって閉鎖されている。ガイドスリーブ２１には長手方向摺動可能な可動子２３が収容されている。この可動子２３は、戻しばね２４によって磁心２２に支持されている。磁心とは反対の側に、可動子２３は球形の閉鎖部材２５を有している。
【００１１】
ガイドスリーブ２１は環状段部２７を以て拡張されており、この環状段部２７は半径方向でガイドスリーブの円筒形の周壁２８から出発する端壁２９を有している。前記周壁２８と端壁２９との間の移行域に、ガイドスリーブ２１は丸く面取りされたネック３０を有しており、このネック３０は面取り半径Ｒを有している（図２）。ガイドスリーブ２１は磁心とは反対の側に、環状段部２７に続くより大きな直径の中空円筒区分３１を有している。
【００１２】
ガイドスリーブ２１の中空円筒区分３１には、磁心とは反対の側からポット形の弁スリーブ３３がプレス嵌めされている。深絞り部材として形成されたこの弁スリーブ３３は、底部３４に向かってまっすぐな円筒周面区分３５へと先細になっている。底部３４には貫通孔３６と中空円錐形の弁座３７とが位置しており、この弁座３７には可動子２３の閉鎖体２５が、電磁弁１０の図示の位置において係合している。閉鎖部材２５と弁座３７とはシート弁３８を形成しており、このシート弁３８により、底部側の貫通孔３６と、弁スリーブ３３の周面区分３５に設けられた貫通孔３９との間の流体案内接続が切り替えられる。弁スリーブ３３はガイドスリーブ２１に、前記中空円筒区分３１の自由端部に形成された縁曲げ結合部４０によって固定されている。更に、ガイドスリーブ２１の中空円筒区分３１には、弁スリーブ３３の周面側の貫通孔３９を覆うように係合するフィルタスリーブ４１が被せ嵌められている。
【００１３】
更に、電磁弁１０の液圧式の部分１３には環状の固定ブシュ４３が所属している。この固定ブシュ４３は磁心２２の側からガイドスリーブ２１に被せ嵌められている。固定ブシュ４３はガイドスリーブ２１のネック３０に対応配置された環状の縁部４４を有しており、この縁部４４はネックの面取り半径Ｒよりも小さな面取り半径ｒで製作されている（図２）。（図１に示したように）組み込まれた状態では、固定ブシュ４３はガイドスリーブ２１の周壁２８及び端壁２９に適合して密着する。この場合、固定ブシュ４３はプレス嵌めを以てガイドスリーブ２１の周壁２８に係合する。更に、固定ブシュ３２の縁部４４がガイドスリーブ２１のネック３０にぶつかると、縁部の面取り半径がネックの面取り半径に、当該縁部４４の塑性変形によって合わされる。このことは、固定ブシュ４３の十分な延性及びガイドスリーブ２１の構成強度が前提となる。固定ブシュ４３の周壁２８へのプレス嵌め及び塑性変形された縁部４４は、図１に符号Ａで示したシールを成している。
【００１４】
前記の構成部材から（説明したのとは異なる順序で）組み立てられる電磁弁１０の液圧式の部分１３は、次のように弁ブロック１１の孔１４に組み込まれる構成群を成す。
【００１５】
即ち、液圧式の部分１３は磁心とは反対の側の区分を以て孔１４に挿入される。この場合、弁スリーブ３３の周面区分３５は、プレス嵌めの形成下で孔１４の孔段部４６に続く区分４７に係合する。このことは、ガイドスリーブ２１の肉厚に比べて大きな肉厚で形成され且つ熱処理を施された弁スリーブ３３の十分な形状剛性が前提となる。プレス嵌めにより、弁スリーブ３３と孔区分４７との間にシールＢが得られ、このシールＢは弁ブロック１１の流体案内通路４８，４９を互いに分離する。液圧式の部分１３の孔１４へのプレス嵌め動作は、孔１４の開口側の環状段部５１に固定ブシュ４３が当接することによって制限される。液圧式の部分１３のこの位置では、固定ブシュ４３まで延びるフィルタスリーブ４１が孔段部４６に係合している。弁ブロック１１の材料が孔１４の開口縁部から押し退けられることにより、固定ブシュ４３の付加部５２を覆うように係合するかしめ締結部５３が生ぜしめられる。これにより、固定ブシュ４３と弁ブロック１１との間にシールＣが形成されている。このようにして、電磁弁１０の液圧式の部分１３は、ゴム弾性的なシール手段を用いること無く、弁ブロック１１の孔１４からの流体流出並びにシート弁３８のバイパスが防止されている。
【００１６】
最後に電磁弁１０は、電気的な部分１５を液圧式の部分１３の弁ブロック１１から突出した区分に被せ嵌めることにより完成される。
【図面の簡単な説明】
【図１】  弁ブロックに配置された電磁弁の縦断面図である。
【図２】  図１に符号Ｘで示した構成部材の区分を、それぞれ互いに別個にプレ組込み状態で示した図である。
【符号の説明】
１０  電磁弁、  １１  弁ブロック、  １３  液圧式の部分、  １５  電気的な部分、  １６  コイルボディ、  １７  巻線、  １８  コイルカバー、  １９  リングディスク、  ２１  ガイドスリーブ、  ２２  磁心、  ２３  可動子、  ２４  戻しばね、  ２５  閉鎖部材、  ２７  環状段部、  ２８  周壁、  ２９  端壁、  ３０  ネック、  ３１  中空円筒区分、  ３３  弁スリーブ、  ３４  底部、  ３５  周面区分、  ３６，３９  貫通孔、  ３７  弁座、  ３８  シート弁、  ４０  縁曲げ結合部、  ４１  フィルタスリーブ、  ４３  固定ブシュ、  ４４  縁部、  ４６  孔段部、  ４７  孔区分、  ４８，４９  通路、  ５１  環状段部、  ５２  付加部、  ５３  かしめ締結部
【図１】
0004828778.tif 000002
【図２】
0004828778.tif 000003